(57)【特許請求の範囲】
【請求項１】
通信装置接続方法であって、端末装置に適用され、前記方法は、
通信装置の画像識別子を取得し、該画像識別子をサーバ側へ送信し、前記通信装置の装置タイプの少なくとも１次元の特性情報を受信するステップであって、前記特性情報は、前記画像識別子に基づき前記サーバ側により返される、ステップと、
少なくとも１つの通信装置により送信された接続情報を検出し、前記接続情報をパースすることにより前記少なくとも１つの通信装置の装置識別子を取得し、前記装置識別子に基づき前記サーバ側から登録された少なくとも１つの通信装置のタイプの少なくとも１次元の被照合特性情報を取得するステップと、
前記通信装置の前記装置タイプの前記少なくとも１次元の前記特性情報を、前記登録された少なくとも１つの通信装置の前記タイプの前記少なくとも１次元の前記被照合特性情報と比較し、比較結果に基づき前記少なくとも１つの通信装置からターゲット通信装置を選択するステップと、
前記ターゲット通信装置に結合するステップと
前記ターゲット通信装置への通信接続を確立するステップと、
を有する方法。
【請求項２】
前記通信装置の前記装置タイプの前記少なくとも１次元の前記特性情報は、
前記通信装置のタイプ識別子情報と、前記通信装置によりサポートされる通信モードと、を有する、請求項１に記載の方法。
【請求項３】
少なくとも１つの通信装置により送信された接続情報を検出する前記ステップの前に、前記方法は、
前記サーバ側から、前記画像識別子に対応する前記通信装置によりサポートされる通信モードを取得するステップと、
前記通信装置によりサポートされる前記通信モードに基づき、接続要求を送信するステップと、
を有する請求項２に記載の方法。
【請求項４】
前記ターゲット通信装置に結合する前記ステップは、
前記ターゲット通信装置の装置識別子に基づき結合要求を生成し、該結合要求を前記サーバ側へ送信するステップであって、前記サーバ側が、前記結合要求の中の前記装置識別子に基づき、前記ターゲット通信装置を前記端末装置に関連付けるようにする、ステップ、を有する、請求項１に記載の方法。
【請求項５】
画像識別子を取得する前記ステップの前に、前記方法は、
第１アプリケーションに対応する第１アカウントに基づき、前記サーバ側にログインするステップ、を更に有し、
相応して、前記ターゲット通信装置に結合し及び該ターゲット通信装置への通信接続を確立する前記ステップは、
前記通信装置の装置識別子及び前記第１アプリケーションの前記第１アカウントに基づき結合要求を生成し、該結合要求を前記サーバ側へ送信するステップであって、前記サーバ側が、前記通信接続を形成するために、前記結合要求に基づき前記通信装置の前記装置識別子を前記第１アカウントに関連付けるようにし、前記通信接続は、前記第１アプリケーションの前記第１アカウントに基づく前記通信装置との通信をサポートする、ステップを有する、
請求項１に記載の方法。
【請求項６】
比較結果に基づき前記少なくとも１つの通信装置からターゲット通信装置を選択する前記ステップは、
前記比較結果に基づき、前記少なくとも１次元の前記特性情報に合致する通信装置を決定するステップと、
前記通信装置と前記端末装置との間の信号強度情報を取得するステップと、
前記信号強度情報に基づき、前記通信装置から前記ターゲット通信装置を選択するステップと、
を有する、請求項１に記載の方法。
【請求項７】
通信装置接続方法であって、サーバに適用され、前記方法は、
登録通信装置のタイプの少なくとも１次元の特性情報を取得するステップと、
端末装置により送信された画像識別子を受信し、前記画像識別子に基づき通信装置のタイプの少なくとも１次元の特性情報を取得し、前記通信装置の前記タイプの前記少なくとも１次元の前記特性情報を前記端末装置へ送信するステップと、
前記端末装置が前記通信装置の前記タイプの前記少なくとも１次元の前記特性情報及び前記少なくとも１つの通信装置の被照合特性情報に基づくスクリーニングにより、前記少なくとも１つの通信装置からターゲット通信装置を取得し、且つスクリーニングにより取得された前記ターゲット通信装置に結合し及び該ターゲット通信装置への接続を確立できるように、前記端末装置により送信された前記通信装置の番号情報を受信し、前記番号情報に基づき少なくとも１つの通信装置の被照合特性情報を取得し、前記被照合特性情報を前記端末装置へ送信するステップと、
を有する方法。
【請求項８】
前記方法は、
前記通信装置の前記タイプの前記少なくとも１次元の前記特性情報に基づき、前記タイプの前記通信装置を登録するステップと、
前記通信装置の前記タイプの前記少なくとも１次元の前記特性情報を、前記タイプに対応する画像識別子に関連付けるステップと、
を更に有する請求項７に記載の方法。
【請求項９】
前記方法は、
通信装置により提出された番号取得要求を受信するステップであって、前記番号取得要求は、少なくとも、前記通信装置の装置情報及び前記通信装置の製品識別子情報を有する、ステップと、
前記番号取得要求に基づき、前記通信装置の番号情報を生成するステップと、
前記通信装置の前記番号情報を、前記通信装置の前記タイプの前記少なくとも１次元の前記特性情報に関連付けるステップと、
を更に有する請求項７に記載の方法。
【請求項１０】
端末装置であって、前記端末装置は、
通信装置の画像識別子を取得するよう構成される取得ユニットと、
前記画像識別子をサーバ側へ送信し、前記通信装置の装置タイプの少なくとも１次元の特性情報を受信するよう構成される第１通信ユニットであって、前記特性情報は、前記画像識別子に基づき前記サーバ側により返される、第１通信ユニットと、
少なくとも１つの通信装置により送信された接続情報を検出し、ターゲット通信装置に結合し該ターゲット通信装置への通信接続を確立するよう構成される第２通信ユニットと、
前記接続情報をパースすることにより前記少なくとも１つの通信装置の装置識別子を取得し、前記装置識別子に基づき前記サーバ側から登録された少なくとも１つの通信装置のタイプの少なくとも１次元の被照合特性情報を取得し、前記通信装置の前記装置タイプの前記少なくとも１次元の前記特性情報を、前記登録された少なくとも１つの通信装置の前記タイプの前記少なくとも１次元の前記被照合特性情報と比較し、比較結果に基づき前記少なくとも１つの通信装置から前記ターゲット通信装置を選択するよう構成される処理ユニットと、
を有する端末装置。
【請求項１１】
前記第２通信ユニットは、前記サーバ側から、前記画像識別子に対応する前記通信装置によりサポートされる通信モードを取得し、前記通信装置によりサポートされる前記通信モードに基づき、接続要求を送信するよう構成される、請求項１０に記載の端末装置。
【請求項１２】
前記処理ユニットは、前記ターゲット通信装置の装置識別子に基づき結合要求を生成するよう構成され、
相応して、前記第１通信ユニットは、前記結合要求を前記サーバ側へ送信するよう構成される、
請求項１０に記載の端末装置。
【請求項１３】
前記第１通信ユニットは、第１アプリケーションに対応する第１アカウントに基づき、前記サーバ側にログインするよう構成され、
相応して、前記第２通信ユニットは、前記通信装置の装置識別子及び前記第１アプリケーションの前記第１アカウントに基づき結合要求を生成し、該結合要求を前記サーバ側へ送信し、前記サーバ側が、前記通信接続を形成するために、前記結合要求に基づき前記通信装置の前記装置識別子を前記第１アカウントに関連付けるようにし、前記通信接続は、前記第１アプリケーションの前記第１アカウントに基づく前記通信装置との通信をサポートする、よう構成される、
請求項１０に記載の端末装置。
【請求項１４】
前記処理ユニットは、前記比較結果に基づき、前記少なくとも１次元の前記特性情報に合致する通信装置を決定し、前記通信装置と前記端末装置との間の信号強度情報を取得し、前記信号強度情報に基づき前記通信装置から前記ターゲット通信装置を選択するよう構成される、請求項１０に記載の端末装置。
【請求項１５】
サーバシステムであって、前記サーバシステムは、
通信装置のタイプの少なくとも１次元の特性情報をソーシャルネットワークサーバに登録するよう構成される通信装置サーバと、
端末装置により送信された画像識別子を受信し、前記端末装置により送信された通信装置の番号情報を受信し、前記画像識別子に基づき通信装置のタイプの少なくとも１次元の特性情報を取得し、前記通信装置の前記タイプの前記少なくとも１次元の前記特性情報を前記端末装置へ送信し、前記番号情報に基づき少なくとも１つの通信装置の被照合特性情報を取得し、前記被照合特性情報を前記端末装置へ送信するよう構成される前記ソーシャルネットワークサーバと、
を有するサーバシステム。
【請求項１６】
前記通信装置サーバは、前記通信装置の前記タイプの前記少なくとも１次元の前記特性情報に基づき、前記タイプの前記通信装置を登録するよう構成され、
前記ソーシャルネットワークサーバは、前記通信装置の前記タイプの前記少なくとも１次元の前記特性情報を、前記タイプに対応する画像識別子に関連付けるよう構成される、
請求項１５に記載のサーバシステム。
【請求項１７】
前記ソーシャルネットワークサーバは、通信装置により提出された番号取得要求を受信し、前記番号取得要求は、少なくとも、前記通信装置の装置情報及び前記通信装置の製品識別子情報を有し、前記番号取得要求に基づき、前記通信装置の番号情報を生成し、前記通信装置の前記番号情報を、前記通信装置の前記タイプの前記少なくとも１次元の前記特性情報に関連付けるよう構成される、請求項１６に記載のサーバシステム。
【発明の詳細な説明】
【技術分野】
【０００１】
本開示は、電子装置の装置接続処理技術に関し、特に、通信装置接続方法、端末装置、及びサーバシステムに関する。
【背景技術】
【０００２】
既存技術では、端末装置が通信装置に接続されるように、２次元コードのような画像識別子がスキャンされる。２次元コードは、通信装置に関する情報（該通信装置のユニークな識別子）を含む。ユーザが２次元コードをスキャンするとき、サーバは、２次元コード内の情報に従い、該コードにユニークに対応する通信装置を正確に特定し、次に、ユーザと通信装置との間の直接関係を確立できる。具体的に、前述のソリューションでは、通信装置は、２次元コードと１対１に対応して製造される必要がある。例えば、通信装置Ａの製造中に、通信装置Ａに関する情報、例えば装置のユニークな識別子は、先ず、通信装置Ａと１対１に対応して生成される必要がある。２次元コードを貼り付けるとき、オペレータは、サーバにおいて、通信装置Ａに関する情報に従い対応する２次元コードＢを生成し、２次元コードＢを印刷し、そして２次元コードＢを通信装置Ａに貼り付ける必要がある。
【０００３】
しかしながら、前述のソリューションは、以下の問題を有する。２次元コードが印刷される前に、異なる２次元コードがサーバ上で生成される必要があり、特定の２次元コードはこの過程でうまく生成されない場合があり、生産ラインの生産効率を低下させてしまう。２次元コードを貼り付ける前に、オペレータは、先ず、装置と１対１に対応する２次元コードを生成する必要がある。この過程は、生産コストを増大し、高い失敗可能性を有し、生産効率を低下させる。
【発明の概要】
【０００４】
以上に鑑み、本発明の実施形態の主な目的は、少なくとも関連技術の技術的問題を解決するために、通信装置接続方法、端末装置、及びサーバシステムを提供することである。
【０００５】
上述の目的を達成するために、本開示の技術的解決策は、以下のように実施される。
【０００６】
本発明の一実施形態は、通信装置接続方法であって、端末装置に適用され、前記方法は、
通信装置の画像識別子を取得し、該画像識別子をサーバ側へ送信し、前記通信装置の装置タイプの少なくとも１次元の特性情報を受信するステップであって、前記特性情報は、前記画像識別子に基づき前記サーバ側により返される、ステップと、
少なくとも１つの通信装置により送信された接続情報を検出し、前記接続情報をパースすることにより前記少なくとも１つの通信装置の装置識別子を取得し、前記装置識別子に基づき前記サーバ側から登録された少なくとも１つの通信装置のタイプの少なくとも１次元の被照合特性情報を取得するステップと、
前記通信装置の前記装置タイプの前記少なくとも１次元の前記特性情報を、前記登録された少なくとも１つの通信装置の前記タイプの前記少なくとも１次元の前記被照合特性情報と比較し、比較結果に基づき前記少なくとも１つの通信装置からターゲット通信装置を選択するステップと、
前記ターゲット通信装置への通信接続を結合し確立するステップと、を有する方法を提供する。
【０００７】
本発明の一実施形態は、通信装置接続方法であって、サーバに適用され、前記方法は、
登録通信装置のタイプの少なくとも１次元の特性情報を取得するステップと、
端末装置により送信された画像識別子を受信し、前記画像識別子に基づき通信装置のタイプの少なくとも１次元の特性情報を取得し、前記通信装置の前記タイプの前記少なくとも１次元の前記特性情報を前記端末装置へ送信するステップと、
前記端末装置により送信された前記通信装置の番号情報を受信し、前記番号情報に基づき少なくとも１つの通信装置の被照合特性情報を取得し、前記被照合特性情報を前記端末装置へ送信するステップであって、前記端末装置が、前記通信装置の前記タイプの前記少なくとも１次元の前記特性情報及び前記少なくとも１つの通信装置の前記被照合特性情報に基づくスクリーニングにより、前記少なくとも１つの通信装置からターゲット通信装置を取得し、スクリーニングにより取得された前記ターゲット通信装置に結合し及び該ターゲット通信装置への接続を確立するようにする、ステップと、を有する方法を提供する。
【０００８】
本発明の一実施形態は、端末装置であって、前記端末装置は、
通信装置の画像識別子を取得するよう構成される取得ユニットと、
前記画像識別子をサーバ側へ送信し、前記通信装置の装置タイプの少なくとも１次元の特性情報を受信するよう構成される第１通信ユニットであって、前記特性情報は、前記画像識別子に基づき前記サーバ側により返される、第１通信ユニットと、
少なくとも１つの通信装置により送信された接続情報を検出し、ターゲット通信装置に結合し該ターゲット通信装置への通信接続を確立するよう構成される第２通信ユニットと、
前記接続情報をパースすることにより前記少なくとも１つの通信装置の装置識別子を取得し、前記装置識別子に基づき前記サーバ側から前記登録された少なくとも１つの通信装置のタイプの少なくとも１次元の被照合特性情報を取得し、前記通信装置の前記装置タイプの前記少なくとも１次元の前記特性情報を、前記登録された少なくとも１つの通信装置の前記タイプの前記少なくとも１次元の前記被照合特性情報と比較し、比較結果に基づき前記少なくとも１つの通信装置から前記ターゲット通信装置を選択するよう構成される処理ユニットと、を有する端末装置を提供する。
【０００９】
本発明の一実施形態は、サーバシステムであって、前記サーバシステムは、
通信装置のタイプの少なくとも１次元の特性情報をソーシャルネットワークサーバに登録するよう構成される通信装置サーバと、
端末装置により送信された画像識別子を受信し、前記端末装置により送信された通信装置の番号情報を受信し、前記画像識別子に基づき通信装置のタイプの少なくとも１次元の特性情報を取得し、前記通信装置の前記タイプの前記少なくとも１次元の前記特性情報を前記端末装置へ送信し、前記番号情報に基づき少なくとも１つの通信装置の被照合特性情報を取得し、前記被照合特性情報を前記端末装置へ送信するよう構成される前記ソーシャルネットワークサーバと、を有するサーバシステムを提供する。
【００１０】
本開示により提供される通信装置接続方法、端末装置、及びサーバシステムによると、端末装置は、画像識別子を取得し、画像識別子に基づき通信装置に対応するタイプの少なくとも１次元の特性情報をサーバ側から取得し、次に、少なくとも１つの通信装置により送信された接続情報を受信した後に、通信装置の識別子情報に従いサーバから被照合特性情報を取得し、２つの特性情報グループを比較することにより、ターゲット通信装置を選択し、ターゲット通信装置への接続を確立できる。このように、対応する画像識別子は通信装置のタイプについて設定され、端末装置は通信装置のタイプに対応する画像識別子をスキャンするだけで通信装置への接続を確立でき、それにより、画像識別子が通信装置毎に設定される必要があるという事実により引き起こされる生産効率を増大できない及び過度に高い生産コストのような既存技術における問題を防止する。
【図面の簡単な説明】
【００１１】
【図１】本発明の一実施形態による通信装置接続方法の概略フローチャート１である。
【図２】本発明の一実施形態による概略処理フローチャート１である。
【図３】本発明の一実施形態による概略処理フローチャート２である。
【図４】本発明の一実施形態による概略処理フローチャート３である。
【図５】本発明の一実施形態による動作インタフェースの概略図１である。
【図６】本発明の一実施形態による動作インタフェースの概略図２である。
【図７】本発明の一実施形態による動作インタフェースの概略図３である。
【図８】本発明の一実施形態による動作インタフェースの概略図４である。
【図９】本発明の一実施形態による通信装置接続方法の概略フローチャート２である。
【図１０】本発明の一実施形態による端末装置の概略構造組成図である。
【図１１】本発明の一実施形態によるサーバシステムの概略構造組成図である。
【図１２】本発明の一実施形態によるハードウェアの概略構造組成図である。
【発明を実施するための形態】
【００１２】
以下は、添付の図面及び特定の実施形態を参照して本開示を更に記載する。
【００１３】
実施形態１
本発明の一実施形態は、端末装置に適用される通信装置接続方法を提供する。図１に示すように、方法は以下のステップを含む。
【００１４】
ステップ１０１：通信装置の画像識別子を取得し、画像識別子をサーバ側へ送信し、通信装置の装置タイプの少なくとも１次元の特性情報を受信する。ここで、特性情報は、画像識別子に基づきサーバ側により返される。
【００１５】
ステップ１０２：少なくとも１つの通信装置により送信された接続情報を検出し、接続情報をパースすることにより少なくとも１つの通信装置の装置識別子を取得し、装置識別子に基づき、サーバ側から、登録された少なくとも１つの通信装置のタイプの少なくとも１次元の被照合特性情報を取得する。
【００１６】
ステップ１０３：通信装置の装置タイプの少なくとも１次元の特性情報を、登録された少なくとも１つの通信装置のタイプの少なくとも１次元の被照合特性情報と比較し、比較結果に基づき少なくとも１つの通信装置からターゲット通信装置を選択する。
【００１７】
ステップ１０４：ターゲット通信装置に結合し、該ターゲット通信装置への通信接続を確立する。
【００１８】
ここで、端末装置は、携帯電話機又はタブレットコンピュータのような装置であって良い。通信装置は、Bluetooth（登録商標）通信装置、又は無線ローカルエリアネットワーク上のWi-Fi通信装置であって良い。
【００１９】
画像識別子は、通信装置上に設定される２次元コードであって良く、又は通信装置のタイプ番号であって良い。
【００２０】
本実施形態では、画像識別子を取得するステップは、端末装置の画像取得ユニットを用いて実行されて良く、例えばカメラにより実行されて良い。
【００２１】
本実施形態では、以下の記載は、通信装置がBluetooth通信機能を備える通信装置である一例を用いて提供される。
【００２２】
通信装置の装置タイプの少なくとも１次元の特性情報は、通信装置のタイプ識別子情報、通信装置によりサポートされる通信モード、又は公式アカウント情報のうちの少なくとも１つを有する。
【００２３】
通信装置のタイプ識別子情報は、通信装置のタイプの識別子情報である。ここで、留意すべきことに、通信装置は、更にサーバ側に登録する必要があり、通信装置のタイプ識別子情報、通信装置によりサポートされる通信モード、及び公式アカウント情報の全部をサーバ側に記録することを含む。
【００２４】
少なくとも１つの通信装置により送信された接続情報を検出するステップは、通信装置によりサポートされる通信モードがBluetooth通信であるとき、少なくとも１つの接続情報がBluetooth通信モードで受信されたか否かを、端末装置により直接検出するステップを含んで良い。
【００２５】
留意すべきことに、Bluetooth通信装置は、端末装置に接続要求を送信するよう要求することなく、ブロードキャスト情報を含む接続情報を直接開始できる。
【００２６】
通信装置がBluetooth通信装置であるとき、送信された接続情報は、少なくとも、通信装置のＭＡＣアドレスを含んで良い。さらに、接続情報は、通信装置の公式アカウント情報及び装置識別子情報を更に有して良い。装置識別子情報は、各通信装置にユニークに対応する装置識別子である。
【００２７】
少なくとも１次元の被照合特性情報において、少なくとも１次元は、前述の少なくとも１次元と同じであって良い。詳細事項は、ここで再び記載されない。
【００２８】
さらに、通信装置の装置タイプの少なくとも１次元の特性情報を、登録された少なくとも１つの通信装置のタイプの少なくとも１次元の被照合特性情報と比較するステップは、通信装置の装置タイプの少なくとも１次元の特性情報をスクリーニング基準として使用し、登録された少なくとも１つの通信装置の被照合特性情報をスクリーニング基準に基づきスクリーニングし、スクリーニング基準に合致するターゲット通信装置を選択するステップであって良い。
【００２９】
ターゲット通信装置に結合するステップは、ターゲット通信装置の装置識別子に基づき結合要求を生成し、該結合要求を前記サーバ側へ送信するステップを含む。したがって、サーバ側は、結合要求の中の装置識別子に基づき、ターゲット通信装置を端末装置に関連付けることができる。結合要求は、具体的に、ターゲット通信装置の装置識別子及び端末装置の装置識別子を有して良い。次に、２つの装置の装置識別子は、サーバ上で互いに関連付けられ、それにより結合を完了する。
【００３０】
さらに、本実施形態は、具体的に以下のように、アプリケーションに基づき通信装置に結合する運用シナリオを更に提供する。
【００３１】
画像識別子を取得するステップの前に、方法は、第１アプリケーションに対応する第１アカウントに基づきサーバ側にログインするステップを更に含む。ここで、第１アプリケーションはソーシャルソフトウェアであって良く、第１アカウントは第１アプリケーションの側でユーザにより登録されたアカウントであって良く、少なくともユーザ名を含む。
【００３２】
相応して、通信装置に結合し、該通信装置への通信接続を確立するステップは、通信装置の装置識別子及び第１アプリケーションの第１アカウントに基づき結合要求を生成し、サーバ側へ結合要求を送信するステップを有する。したがって、サーバ側は、通信接続を形成するために結合要求に基づき通信装置の装置識別子を第１アカウントに関連付けることができる。ここで、通信接続は、第１アプリケーションの第１アカウントに基づき通信装置との通信をサポートする。
【００３３】
以下では、Bluetooth通信装置に接続するシナリオは、図２を参照して具体的に記載され、以下の構成部分を含み得る：端末装置（携帯電話機）、通信装置（Bluetooth）、ソーシャルソフトウェア、ソーシャルソフトウェアバックグラウンド、及び通信装置バックグラウンド。非限定的な例では、端末装置は携帯電話機であり、ソーシャルソフトウェアはWeChatである。
【００３４】
通信装置が、通信装置サーバを用いて、通信装置に関する情報をソーシャルソフトウェアバックグラウンドに登録した後、ソーシャルソフトウェアは、２次元コードをスキャンすることにより、現在のローカルエリアネットワーク上に存在する近隣のWi-Fi通信装置及び近隣のBluetooth装置を発見し追加できる。
【００３５】
通信装置サーバは、通信装置の装置タイプの少なくとも１次元の特性情報を、WeChatサーバに登録する。特性情報は製品情報（Product  Info）であって良い。製品情報は、装置モデル、名称、及びアイコン、通信装置によりサポートされる通信モード（Bluetooth又はWi-Fi）、公式アカウント情報（装置タイプ、device  type）、等を含み得る。
【００３６】
WeChatサーバは、グローバルにユニークなタイプ識別子（Product  ID）及び２次元コード情報を各登録された通信装置のモデルに割り当てる。２次元コード情報は、少なくとも、通信装置のタイプ識別子（Product  ID）、通信装置の接続タイプ（Bluetooth又はWi-Fi）、及び公式アカウント情報（装置タイプ、device  type）を含む。
【００３７】
通信装置は、WeChatサーバにより割り当てられたグローバルにユニークな装置識別子（装置ＩＤ、device  ID）を取得するために、通信装置サーバを用いて、タイプ識別子（Product  ID）を含む、通信装置の基本情報（装置情報、device  info）をソーシャルソフトウェアバックグラウンドに登録する。
【００３８】
端末装置にインストールされたソーシャルソフトウェアクライアント、例えばWeChatクライアントを用いて、通信装置の２次元コードをスキャンした後に、ユーザＡは、２次元コードの中の情報をソーシャルソフトウェアバックグラウンドへ透過的に送信する。２次元コードの中の情報をパースした後に、ソーシャルソフトウェアバックグラウンドは、装置のタイプ識別子（Product  ID）、装置の接続タイプ（Bluetooth又はWi-Fi）、及び公式アカウント情報（device  type）を、スクリーニング基準として、端末装置上のソーシャルソフトウェアクライアントに返す。
【００３９】
ソーシャルソフトウェアクライアントは、WeChatサーバにより返され受信した情報に従い、対応する通信装置発見ページへリダイレクトする。装置の接続タイプがBluetoothであるとき、WeChatクライアントは発見ポート上でリッスンを開始する。
【００４０】
Bluetooth通信装置は、装置のＭＡＣアドレスをブロードキャストする。
【００４１】
Bluetooth通信装置によりブロードキャストされたＭＡＣアドレス、又はBluetooth通信装置により送信された装置応答パケット若しくは装置オンライン通知パケットを受信し、及びパースにより公式アカウント情報（装置タイプ、device  type）及び装置識別子（装置ＩＤ、device  ID）を取得した後に、WeChatクライアントは、WeChatサーバに情報をアップロードし、装置のタイプ識別子（Product  ID）を検索し、タイプ識別子をスクリーニング基準と比較する。スクリーニング基準が満たされる、つまり、タイプ識別子（Product  ID）が一致するとき、WeChatクライアントは、通信装置のモデル情報（Product_Info）を表示する。
【００４２】
ユーザが通信装置をクリックし、「結合（Bind）」をクリックした後に、WeChatクライアントは、WeChatアカウント番号（ユーザＩＤ、user  ID）及びユーザの現在の装置識別子（装置ＩＤ、device  ID）を関連付けのためにWeChatサーバにアップロードし、ユーザが通信装置の追加に成功したことを示す。
【００４３】
前述のソリューションにより、端末装置は画像識別子を取得し、画像識別子に基づき、サーバ側から通信装置に対応するタイプの少なくとも１次元の特性情報を取得し、次に、少なくとも１つの通信装置により送信された接続情報を受信した後に、通信装置の識別子情報に従いサーバから被照合特性情報を取得し、２つの特性情報グループを比較することにより、ターゲット通信装置を選択し、ターゲット通信装置への接続を確立できることが分かる。このように、対応する画像識別子は通信装置のタイプについて設定され、端末装置は通信装置のタイプに対応する画像識別子をスキャンするだけで通信装置への接続を確立でき、それにより、画像識別子が通信装置毎に設定される必要があるという事実により引き起こされる生産効率を増大できない及び過度に高い生産コストのような既存技術における問題を防止する。
【００４４】
さらに、通信装置は通信装置のタイプについて設定された対応する画像識別子をスキャンすることにより追加されるので、画像識別子が失われた後に、該タイプの通信装置が追加できないという問題について心配する必要がない。さらに、ユーザが通信装置を追加するために画像識別子をスキャンするとき、通信距離範囲内にある近隣のハードウェア装置のみが追加でき、見知らぬ人による装置の遠隔追加の問題を完全に解決する。
【００４５】
実施形態２
本発明の一実施形態は、端末装置に適用される通信装置接続方法を提供する。図１に示すように、方法は以下のステップを含む。
【００４６】
ステップ１０１：通信装置の画像識別子を取得し、画像識別子をサーバ側へ送信し、通信装置の装置タイプの少なくとも１次元の特性情報を受信する。ここで、特性情報は、画像識別子に基づきサーバ側により返される。
【００４７】
ステップ１０２：少なくとも１つの通信装置により送信された接続情報を検出し、接続情報をパースすることにより少なくとも１つの通信装置の装置識別子を取得し、装置識別子に基づき、サーバ側から、登録された少なくとも１つの通信装置のタイプの少なくとも１次元の被照合特性情報を取得する。
【００４８】
ステップ１０３：通信装置の装置タイプの少なくとも１次元の特性情報を、登録された少なくとも１つの通信装置のタイプの少なくとも１次元の被照合特性情報と比較し、比較結果に基づき少なくとも１つの通信装置からターゲット通信装置を選択する。
【００４９】
ステップ１０４：ターゲット通信装置に結合し、該ターゲット通信装置への通信接続を確立する。
【００５０】
ここで、端末装置は、携帯電話機又はタブレットコンピュータのような装置であって良い。通信装置は、Bluetooth通信装置、又は無線ローカルエリアネットワーク上のWi-Fi通信装置であって良い。
【００５１】
画像識別子は、通信装置上に設定される２次元コードであって良く、又は通信装置のタイプ番号であって良い。
【００５２】
本実施形態では、画像識別子を取得するステップは、端末装置の画像取得ユニットを用いて実行されて良く、例えばカメラにより実行されて良い。
【００５３】
本実施形態では、以下の記載は、通信装置がWi-Fi通信機能を備える通信装置である一例を用いて提供される。
【００５４】
通信装置の装置タイプの少なくとも１次元の特性情報は、通信装置のタイプ識別子情報、通信装置によりサポートされる通信モード、又は公式アカウント情報のうちの少なくとも１つを有する。
【００５５】
通信装置のタイプ識別子情報は、通信装置のタイプの識別子情報である。ここで、留意すべきことに、通信装置は、更にサーバ側に登録する必要があり、通信装置のタイプ識別子情報、通信装置によりサポートされる通信モード、及び公式アカウント情報の全部をサーバ側に記録することを含む。
【００５６】
少なくとも１つの通信装置により送信された接続情報を検出するステップの前に、方法は、
サーバ側から、画像識別子に対応する通信装置によりサポートされる通信モードを取得するステップと、
通信装置によりサポートされる通信モードに基づき、接続要求を送信するステップと、を有する。
【００５７】
少なくとも１つの通信装置により送信された接続情報を検出するステップは、通信装置によりサポートされる通信モードが無線通信であるとき、端末装置により無線通信ポート上でリッスンし、通信装置により送信された応答パケットが受信されたか否かを決定するステップを含んで良い。
【００５８】
接続情報は、通信装置の公式アカウント情報及び装置識別子情報を更に有して良い。装置識別子情報は、各通信装置にユニークに対応する装置識別子である。
【００５９】
少なくとも１次元の被照合特性情報の中の少なくとも１次元は、前述の少なくとも１次元と同じであって良い。詳細事項は、ここで再び記載されない。
【００６０】
さらに、通信装置の装置タイプの少なくとも１次元の特性情報を、登録された少なくとも１つの通信装置のタイプの少なくとも１次元の被照合特性情報と比較するステップは、通信装置の装置タイプの少なくとも１次元の特性情報をスクリーニング基準として使用し、登録された少なくとも１つの通信装置の被照合特性情報をスクリーニング基準に基づきスクリーニングし、スクリーニング基準に合致するターゲット通信装置を選択するステップであって良い。
【００６１】
ターゲット通信装置に結合するステップは、ターゲット通信装置の装置識別子に基づき結合要求を生成し、該結合要求を前記サーバ側へ送信するステップを含む。したがって、サーバ側は、結合要求の中の装置識別子に基づき、ターゲット通信装置を端末装置に関連付けることができる。結合要求は、具体的に、ターゲット通信装置の装置識別子及び端末装置の装置識別子を有して良い。次に、２つの装置の装置識別子は、サーバ上で互いに関連付けられ、それにより結合を完了する。
【００６２】
さらに、本実施形態は、具体的に以下のように、アプリケーションに基づき通信装置に結合する運用シナリオを更に提供する。
【００６３】
画像識別子を取得するステップの前に、方法は、第１アプリケーションに対応する第１アカウントに基づきサーバ側にログインするステップを更に含む。ここで、第１アプリケーションはソーシャルソフトウェアであって良く、第１アカウントは第１アプリケーションの側でユーザにより登録されたアカウントであって良く、少なくともユーザ名を含む。
【００６４】
相応して、通信装置に結合し、該通信装置への通信接続を確立するステップは、通信装置の装置識別子及び第１アプリケーションの第１アカウントに基づき結合要求を生成し、サーバ側へ結合要求を送信するステップを有する。したがって、サーバ側は、通信接続を形成するために結合要求に基づき通信装置の装置識別子を第１アカウントに関連付けることができる。ここで、通信接続は、第１アプリケーションの第１アカウントに基づき通信装置との通信をサポートする。
【００６５】
以下では、Wi-Fi通信装置に接続するシナリオは、図３及び図４を参照して具体的に記載され、以下の構成部分を含み得る：端末装置（携帯電話機）、通信装置（Wi-Fi）、ソーシャルソフトウェア、ソーシャルソフトウェアバックグラウンド、及び通信装置バックグラウンド。非限定的な例では、端末装置は携帯電話機であり、ソーシャルソフトウェアはWeChatである。
【００６６】
通信装置が、通信装置サーバを用いて、通信装置に関する情報をソーシャルソフトウェアバックグラウンドに登録した後、ソーシャルソフトウェアは、２次元コードをスキャンすることにより、現在のローカルエリアネットワーク上に存在する近隣のWi-Fi通信装置を発見し追加できる。
【００６７】
通信装置サーバは、通信装置の装置タイプの少なくとも１次元の特性情報を、WeChatサーバに登録する。特性情報は、製品情報（Product_Info）であって良い。製品情報は、装置モデル、名称、及びアイコン、通信装置によりサポートされる通信モード（Bluetooth又はWi-Fi）、公式アカウント情報（装置タイプ、device  type）、等を含み得る。
【００６８】
WeChatサーバは、グローバルにユニークなタイプ識別子（Product  ID）及び２次元コード情報を各登録された通信装置のモデルに割り当てる。２次元コード情報は、少なくとも、通信装置のタイプ識別子（Product  ID）、通信装置の接続タイプ（Bluetooth又はWi-Fi）、及び公式アカウント情報（装置タイプ、device  type）を含む。
【００６９】
通信装置は、WeChatサーバにより割り当てられたグローバルにユニークな装置識別子（装置ＩＤ、device  ID）を取得するために、通信装置サーバを用いて、タイプ識別子（Product  ID）を含む、通信装置の基本情報（装置情報、device  info）をソーシャルソフトウェアバックグラウンドに登録する。
【００７０】
端末装置にインストールされたソーシャルソフトウェアクライアント、例えばWeChatクライアントを用いて、通信装置の２次元コードをスキャンした後に、ユーザＡは、２次元コードの中の情報をソーシャルソフトウェアバックグラウンドへ透過的に送信する。２次元コードの中の情報をパースした後に、ソーシャルソフトウェアバックグラウンドは、装置のタイプ識別子（Product  ID）、装置の接続タイプ（Bluetooth又はWi-Fi）、及び公式アカウント情報（装置タイプ、device  type）を、スクリーニング基準として、端末装置上のソーシャルソフトウェアクライアントに返す。
【００７１】
ソーシャルソフトウェアクライアントは、WeChatサーバにより返され受信した情報に従い、対応する通信装置発見ページへリダイレクトする。装置の接続タイプがWi-Fiであるとき、WeChatクライアントは、発見要求パケットをブロードキャストし始め、発見ポートでリッスンし、又は図４に示すようにポート上でリッスンして良い。
【００７２】
インターネットに接続した後に、Wi-Fi装置は、公式アカウント情報（装置タイプ、device  type）及び装置識別子（装置ＩＤ、device  ID）を含む装置オンライン通知パケットをブロードキャストして良い。或いは、ソーシャルソフトウェアクライアントにより送信された装置発見要求パケットを受信した後に、Wi-Fi装置は、公式アカウント情報（装置タイプ、device  type）及び装置識別子（装置ＩＤ、device  ID）を含む装置発見応答パケットを送信して良い。Wi-Fi装置は、オンライン通知パケットを連続してブロードキャストする。公式アカウント情報及び装置識別子情報をオンライン通知パケットに追加することにより、Wi-Fi装置は、WeChatクライアントが装置を適時発見することを可能にし、それによりユーザ経験を更に保証する。
【００７３】
Wi-Fi通信装置によりブロードキャストされた装置応答パケット又は装置オンライン通知パケットを受信し、及びパースにより公式アカウント情報（装置タイプ、device  type）及び装置識別子（装置ＩＤ、device  ID）を取得した後に、WeChatクライアントは、WeChatサーバに情報をアップロードし、装置のタイプ識別子（Product  ID）を検索し、タイプ識別子をスクリーニング基準と比較する。スクリーニング基準が満たされる、つまり、タイプ識別子（Product  ID）が一致するとき、WeChatクライアントは、通信装置のモデル情報（Product_Info）を表示する。
【００７４】
ユーザが通信装置をクリックし、「結合（Bind）」をクリックした後に、WeChatクライアントは、WeChatアカウント番号（ユーザＩＤ、user  ID）及びユーザの現在の装置識別子（装置ＩＤ、device  ID）を関連付けのためにWeChatサーバにアップロードし、ユーザが通信装置の追加に成功したことを示す。
【００７５】
本実施形態は、合致した通信装置からターゲット通信装置を選択する動作であって、
比較結果に基づき、少なくとも１次元の特性情報に合致する通信装置を決定するステップと、
通信装置と端末装置との間の信号強度情報を取得するステップと、
信号強度情報に基づき通信装置からターゲット通信装置を選択するステップと、
を含む動作を更に提供する。
【００７６】
信号強度情報は、通信装置により送信され受信された接続情報に従い、端末装置により決定されて良い。
【００７７】
２次元コードをスキャンすることにより通信装置を発見し追加するための実装方法によると、端末装置の側は、主に以下の機能を有する。
【００７８】
端末装置は、２次元コードをスキャンすることにより、近隣のBluetooth通信装置を発見できる。
【００７９】
端末装置は、２次元コードをスキャンすることにより、端末装置の現在位置するローカルエリアネットワークの中にいるWi-Fi通信装置を発見できる。
【００８０】
端末装置は、２次元コードをスキャンすることにより、近隣のBluetooth通信装置を追加できる。
【００８１】
端末装置は、２次元コードをスキャンすることにより、端末装置の現在位置するローカルエリアネットワークの中にいるWi-Fi通信装置を追加できる。
【００８２】
端末装置は、２次元コードをスキャンすることにより、端末装置の現在位置するローカルエリアネットワークのWi-Fi通信装置、並びにＳＳＩＤ及びパスワードを構成できる。
【００８３】
具体的に、本実施形態において提供される端末装置の側の動作インタフェースは、以下の通りであって良い。２次元コードがスキャンされるとき、通信装置発見ページに入るために、発見中の通信装置の名称が表示される。図５を参照のこと。
【００８４】
近隣のBluetooth装置又はローカルエリアネットワークにいる近隣の通信装置が発見され、このモデルの通信装置のロゴ及び名称が表示される。図６を参照のこと。
【００８５】
発見された通信装置がクリックされ、通信装置情報表示ページにリダイレクトする。通信装置は、「結合（Bind）」をクリックすることにより追加される。図７を参照のこと。
【００８６】
装置発見ページ上の「設定のためにクリック（Click  to  set）」がクリックされ、Wi-Fi装置設定提示ページにリダイレクトし、ネットワーク設定の前のステップを表示する。「上記の設定が完了し、次へ（The  foregoing  settings  are  complete,  next）」がクリックされ、Wi-FiネットワークＳＳＩＤ及びパスワード設定ページにリダイレクトする。「接続（Connect）」がクリックされ、Wi-Fi装置上でネットワーク構成が実行される。図８を参照のこと。
【００８７】
前述のソリューションにより、端末装置は画像識別子を取得し、画像識別子に基づき、サーバ側から通信装置に対応するタイプの少なくとも１次元の特性情報を取得し、次に、少なくとも１つの通信装置により送信された接続情報を受信した後に、通信装置の識別子情報に従いサーバから被照合特性情報を取得し、２つの特性情報グループを比較することにより、ターゲット通信装置を選択し、ターゲット通信装置への接続を確立できることが分かる。このように、対応する画像識別子は通信装置のタイプについて設定され、端末装置は通信装置のタイプに対応する画像識別子をスキャンするだけで通信装置への接続を確立でき、それにより、画像識別子が通信装置毎に設定される必要があるという事実により引き起こされる生産効率を増大できない及び過度に高い生産コストのような既存技術における問題を防止する。
【００８８】
さらに、通信装置は通信装置のタイプについて設定された対応する画像識別子をスキャンすることにより追加されるので、画像識別子が失われた後に、該タイプの通信装置が追加できないという問題について心配する必要がない。さらに、ユーザが通信装置を追加するために画像識別子をスキャンするとき、通信距離範囲内にある近隣のハードウェア装置のみが追加でき、見知らぬ人による装置の遠隔追加の問題を完全に解決する。
【００８９】
実施形態３
本発明の一実施形態は、図９に示されるような、サーバに適用される通信装置接続方法を提供する。当該方法は、以下のステップを有する。
【００９０】
ステップ９０１：登録された通信装置のタイプの少なくとも１次元の特性情報を取得する。
【００９１】
ステップ９０２：端末装置により送信された画像識別子を受信し、画像識別子に基づき通信装置のタイプの少なくとも１次元の特性情報を取得し、通信装置のタイプの少なくとも１次元の特性情報を端末装置へ送信する。
【００９２】
ステップ９０３：端末装置により送信された通信装置の番号情報を受信し、番号情報に基づき少なくとも１つの通信装置の被照合特性情報を取得し、被照合特性情報を端末装置へ送信する。したがって、端末装置は、通信装置のタイプの少なくとも１次元の特性情報と少なくとも１つの通信装置の被照合特性情報とに基づき、スクリーニングにより少なくとも１つの通信装置からターゲット通信装置を取得し、スクリーニングにより取得したターゲット通信装置に結合し及び該ターゲット通信装置への接続を確立できる。
【００９３】
方法は、通信装置のタイプの少なくとも１次元の特性情報に基づき、タイプの通信装置を登録するステップと、通信装置のタイプの少なくとも１次元の特性情報を、タイプに対応する画像識別子に関連付けるステップと、を更に有する。
【００９４】
方法は、通信装置により提出された番号取得要求を受信するステップであって、番号取得要求は、少なくとも、通信装置の装置情報及び通信装置の製品識別子情報を有する、ステップと、
番号取得要求に基づき、通信装置の番号情報を生成するステップと、
通信装置の番号情報を、通信装置のタイプの少なくとも１次元の特性情報に関連付けるステップと、を更に有する。
【００９５】
ここで、端末装置は、携帯電話機又はタブレットコンピュータのような装置であって良い。通信装置は、Bluetooth通信装置、又は無線ローカルエリアネットワーク上のWi-Fi通信装置であって良い。
【００９６】
画像識別子は、通信装置上に設定される２次元コードであって良く、又は通信装置のタイプ番号であって良い。
【００９７】
本実施形態では、画像識別子を取得するステップは、端末装置の画像取得ユニットを用いて実行されて良く、例えばカメラにより実行されて良い。
【００９８】
通信装置の装置タイプの少なくとも１次元の特性情報は、通信装置のタイプ識別子情報、通信装置によりサポートされる通信モード、又は公式アカウント情報のうちの少なくとも１つを有する。
【００９９】
通信装置のタイプ識別子情報は、通信装置のタイプの識別子情報である。ここで、留意すべきことに、通信装置は、更にサーバ側に登録する必要があり、通信装置のタイプ識別子情報、通信装置によりサポートされる通信モード、及び公式アカウント情報の全部をサーバ側に記録することを含む。
【０１００】
留意すべきことに、Bluetooth通信装置は、端末装置に接続要求を送信するよう要求することなく、ブロードキャスト情報を含む接続情報を直接開始できる。
【０１０１】
少なくとも１次元の被照合特性情報の中の少なくとも１次元は、前述の少なくとも１次元と同じであって良い。詳細事項は、ここで再び記載されない。
【０１０２】
さらに、通信装置の装置タイプの少なくとも１次元の特性情報を、登録された少なくとも１つの通信装置のタイプの少なくとも１次元の被照合特性情報と比較するステップは、通信装置の装置タイプの少なくとも１次元の特性情報をスクリーニング基準として使用し、登録された少なくとも１つの通信装置の被照合特性情報をスクリーニング基準に基づきスクリーニングし、スクリーニング基準に合致するターゲット通信装置を選択するステップであって良い。
【０１０３】
ターゲット通信装置に結合するステップは、ターゲット通信装置の装置識別子に基づき結合要求を生成し、該結合要求を前記サーバ側へ送信するステップを含む。したがって、サーバ側は、結合要求の中の装置識別子に基づき、ターゲット通信装置を端末装置に関連付けることができる。結合要求は、具体的に、ターゲット通信装置の装置識別子及び端末装置の装置識別子を有して良い。次に、２つの装置の装置識別子は、サーバ上で互いに関連付けられ、それにより結合を完了する。
【０１０４】
さらに、本実施形態は、具体的に以下のように、アプリケーションに基づき通信装置に結合する運用シナリオを更に提供する。
【０１０５】
画像識別子を取得するステップの前に、方法は、第１アプリケーションに対応する第１アカウントに基づきサーバ側にログインするステップを更に含む。ここで、第１アプリケーションはソーシャルソフトウェアであって良く、第１アカウントは第１アプリケーションの側でユーザにより登録されたアカウントであって良く、少なくともユーザ名を含む。
【０１０６】
相応して、通信装置に結合し、該通信装置への通信接続を確立するステップは、通信装置の装置識別子及び第１アプリケーションの第１アカウントに基づき結合要求を生成し、サーバ側へ結合要求を送信するステップを有する。したがって、サーバ側は、通信接続を形成するために結合要求に基づき通信装置の装置識別子を第１アカウントに関連付けることができる。ここで、通信接続は、第１アプリケーションの第１アカウントに基づき通信装置との通信をサポートする。
【０１０７】
前述のソリューションにより、端末装置は画像識別子を取得し、画像識別子に基づき、サーバ側から通信装置に対応するタイプの少なくとも１次元の特性情報を取得し、次に、少なくとも１つの通信装置により送信された接続情報を受信した後に、通信装置の識別子情報に従いサーバから被照合特性情報を取得し、２つの特性情報グループを比較することにより、ターゲット通信装置を選択し、ターゲット通信装置への接続を確立できることが分かる。このように、対応する画像識別子は通信装置のタイプについて設定され、端末装置は通信装置のタイプに対応する画像識別子をスキャンするだけで通信装置への接続を確立でき、それにより、画像識別子が通信装置毎に設定される必要があるという事実により引き起こされる生産効率を増大できない及び過度に高い生産コストのような既存技術における問題を防止する。
【０１０８】
さらに、通信装置は通信装置のタイプについて設定された対応する画像識別子をスキャンすることにより追加されるので、画像識別子が失われた後に、該タイプの通信装置が追加できないという問題について心配する必要がない。さらに、ユーザが通信装置を追加するために画像識別子をスキャンするとき、通信距離範囲内にある近隣のハードウェア装置のみが追加でき、見知らぬ人による装置の遠隔追加の問題を完全に解決する。
【０１０９】
実施形態４
本発明の一実施形態は、端末装置を提供する。図１０に示すように、端末装置は、
通信装置の画像識別子を取得するよう構成される取得ユニット１００１と、
前記画像識別子をサーバ側へ送信し、通信装置の装置タイプの少なくとも１次元の特性情報を受信するよう構成される第１通信ユニット１００２であって、特性情報は、画像識別子に基づきサーバ側により返される、第１通信ユニット１００２と、
少なくとも１つの通信装置により送信された接続情報を検出し、ターゲット通信装置に結合し該ターゲット通信装置への通信接続を確立するよう構成される第２通信ユニット１００３と、
接続情報をパースすることにより少なくとも１つの通信装置の装置識別子を取得し、装置識別子に基づきサーバ側から登録された少なくとも１つの通信装置のタイプの少なくとも１次元の被照合特性情報を取得し、通信装置の装置タイプの少なくとも１次元の特性情報を、登録された少なくとも１つの通信装置のタイプの少なくとも１次元の被照合特性情報と比較し、比較結果に基づき少なくとも１つの通信装置からターゲット通信装置を選択するよう構成される処理ユニット１００４と、を有する。
【０１１０】
ここで、端末装置は、携帯電話機又はタブレットコンピュータのような装置であって良い。第２通信ユニット１００３は、Bluetooth通信装置、又は無線ローカルエリアネットワーク上のWi-Fi通信装置であって良い。
【０１１１】
画像識別子は、通信装置上に設定される２次元コードであって良く、又は通信装置のタイプ番号であって良い。
【０１１２】
本実施形態では、画像識別子を取得するステップは、端末装置の画像取得ユニットを用いて実行されて良く、例えばカメラにより実行されて良い。
【０１１３】
本実施形態では、以下の記載は、通信装置がBluetooth通信機能を備えるBluetooth通信装置である一例を用いて提供される。
【０１１４】
通信装置の装置タイプの少なくとも１次元の特性情報は、通信装置のタイプ識別子情報、通信装置によりサポートされる通信モード、又は公式アカウント情報のうちの少なくとも１つを有する。
【０１１５】
通信装置のタイプ識別子情報は、通信装置のタイプの識別子情報である。ここで、留意すべきことに、通信装置は、更にサーバ側に登録する必要があり、通信装置のタイプ識別子情報、通信装置によりサポートされる通信モード、及び公式アカウント情報の全部をサーバ側に記録することを含む。
【０１１６】
第２通信ユニット１００３は、通信装置によりサポートされる通信モードがBluetooth通信であるとき、少なくとも１つの接続情報がBluetooth通信モードで受信されたか否かを直接検出するよう構成される。
【０１１７】
留意すべきことに、Bluetooth通信装置は、端末装置に接続要求を送信するよう要求することなく、ブロードキャスト情報を含む接続情報を直接開始できる。
【０１１８】
通信装置がBluetooth通信装置であるとき、送信された接続情報は、少なくとも、通信装置のＭＡＣアドレスを含んで良い。さらに、接続情報は、通信装置の公式アカウント情報及び装置識別子情報を更に有して良い。装置識別子情報は、各通信装置にユニークに対応する装置識別子である。
【０１１９】
少なくとも１次元の被照合特性情報の中の少なくとも１次元は、前述の少なくとも１次元と同じであって良い。詳細事項は、ここで再び記載されない。
【０１２０】
さらに、通信装置の装置タイプの少なくとも１次元の特性情報を、登録された少なくとも１つの通信装置のタイプの少なくとも１次元の被照合特性情報と比較することは、処理ユニットが、通信装置の装置タイプの少なくとも１次元の特性情報をスクリーニング基準として使用し、登録された少なくとも１つの通信装置の被照合特性情報をスクリーニング基準に基づきスクリーニングし、スクリーニング基準に合致するターゲット通信装置を選択するよう構成されることであって良い。
【０１２１】
処理ユニットは、ターゲット通信装置の装置識別子に基づき結合要求を生成し、該結合要求をサーバ側へ送信するよう構成される。したがって、サーバ側は、結合要求の中の装置識別子に基づき、ターゲット通信装置を端末装置に関連付けることができる。結合要求は、具体的に、ターゲット通信装置の装置識別子及び端末装置の装置識別子を有して良い。次に、２つの装置の装置識別子は、サーバ上で互いに関連付けられ、それにより結合を完了する。
【０１２２】
前述のソリューションにより、端末装置は画像識別子を取得し、画像識別子に基づき、サーバ側から通信装置に対応するタイプの少なくとも１次元の特性情報を取得し、次に、少なくとも１つの通信装置により送信された接続情報を受信した後に、通信装置の識別子情報に従いサーバから被照合特性情報を取得し、２つの特性情報グループを比較することにより、ターゲット通信装置を選択し、ターゲット通信装置への接続を確立できることが分かる。このように、対応する画像識別子は通信装置のタイプについて設定され、端末装置は通信装置のタイプに対応する画像識別子をスキャンするだけで通信装置への接続を確立でき、それにより、画像識別子が通信装置毎に設定される必要があるという事実により引き起こされる生産効率を増大できない及び過度に高い生産コストのような既存技術における問題を防止する。
【０１２３】
さらに、通信装置は通信装置のタイプについて設定された対応する画像識別子をスキャンすることにより追加されるので、画像識別子が失われた後に、該タイプの通信装置が追加できないという問題について心配する必要がない。さらに、ユーザが通信装置を追加するために画像識別子をスキャンするとき、通信距離範囲内にある近隣のハードウェア装置のみが追加でき、見知らぬ人による装置の遠隔追加の問題を完全に解決する。
【０１２４】
実施形態５
本発明の一実施形態は、端末装置を提供する。図１０に示すように、端末装置は、
通信装置の画像識別子を取得するよう構成される取得ユニット１００１と、
前記画像識別子をサーバ側へ送信し、通信装置の装置タイプの少なくとも１次元の特性情報を受信するよう構成される第１通信ユニット１００２であって、特性情報は、画像識別子に基づきサーバ側により返される、第１通信ユニット１００２と、
少なくとも１つの通信装置により送信された接続情報を検出し、ターゲット通信装置に結合し該ターゲット通信装置への通信接続を確立するよう構成される第２通信ユニット１００３と、
接続情報をパースすることにより少なくとも１つの通信装置の装置識別子を取得し、装置識別子に基づきサーバ側から登録された少なくとも１つの通信装置のタイプの少なくとも１次元の被照合特性情報を取得し、通信装置の装置タイプの少なくとも１次元の特性情報を、登録された少なくとも１つの通信装置のタイプの少なくとも１次元の被照合特性情報と比較し、比較結果に基づき少なくとも１つの通信装置からターゲット通信装置を選択するよう構成される処理ユニット１００４と、を有する。
【０１２５】
ここで、端末装置は、携帯電話機又はタブレットコンピュータのような装置であって良い。第２通信ユニット１００３は、Bluetooth通信装置、又は無線ローカルエリアネットワーク上のWi-Fi通信装置であって良い。
【０１２６】
画像識別子は、通信装置上に設定される２次元コードであって良く、又は通信装置のタイプ番号であって良い。
【０１２７】
本実施形態では、画像識別子を取得するステップは、端末装置の画像取得ユニットを用いて実行されて良く、例えばカメラにより実行されて良い。
【０１２８】
本実施形態では、以下の記載は、通信装置がWi-Fi通信機能を備える通信装置である一例を用いて提供される。
【０１２９】
通信装置の装置タイプの少なくとも１次元の特性情報は、通信装置のタイプ識別子情報、通信装置によりサポートされる通信モード、又は公式アカウント情報のうちの少なくとも１つを有する。
【０１３０】
通信装置のタイプ識別子情報は、通信装置のタイプの識別子情報である。ここで、留意すべきことに、通信装置は、更にサーバ側に登録する必要があり、通信装置のタイプ識別子情報、通信装置によりサポートされる通信モード、及び公式アカウント情報の全部をサーバ側に記録することを含む。
【０１３１】
第２通信ユニットは、サーバ側から、画像識別子に対応する通信装置によりサポートされる通信モードを取得し、通信装置によりサポートされる通信モードに基づき接続要求を送信し、無線通信ポート上でリッスンし、通信装置により送信された応答パケットが受信されたか否かを決定するよう構成される。
【０１３２】
接続情報は、通信装置の公式アカウント情報及び装置識別子情報を更に有して良い。装置識別子情報は、各通信装置にユニークに対応する装置識別子である。
【０１３３】
少なくとも１次元の被照合特性情報の中の少なくとも１次元は、前述の少なくとも１次元と同じであって良い。詳細事項は、ここで再び記載されない。
【０１３４】
さらに、通信装置の装置タイプの少なくとも１次元の特性情報を、登録された少なくとも１つの通信装置のタイプの少なくとも１次元の被照合特性情報と比較するステップは、通信装置の装置タイプの少なくとも１次元の特性情報をスクリーニング基準として使用し、登録された少なくとも１つの通信装置の被照合特性情報をスクリーニング基準に基づきスクリーニングし、スクリーニング基準に合致するターゲット通信装置を選択するステップであって良い。
【０１３５】
処理ユニットは、ターゲット通信装置の装置識別子に基づき、結合要求を生成するよう構成される。
【０１３６】
相応して、第１通信ユニットは、サーバ側へ結合要求を送信するよう構成される。したがって、サーバ側は、結合要求の中の装置識別子に基づき、ターゲット通信装置を端末装置に関連付けることができる。結合要求は、具体的に、ターゲット通信装置の装置識別子及び端末装置の装置識別子を有して良い。次に、２つの装置の装置識別子は、サーバ上で互いに関連付けられ、それにより結合を完了する。
【０１３７】
さらに、本実施形態は、具体的に以下のように、アプリケーションに基づき通信装置に結合する運用シナリオを更に提供する。
【０１３８】
第１通信ユニットは、第１アプリケーションに対応する第１アカウントに基づき、サーバ側にログインするよう構成される。
【０１３９】
相応して、第２通信ユニットは、通信装置の装置識別子及び第１アプリケーションの第１アカウントに基づき結合要求を生成し、サーバ側へ結合要求を送信するよう構成される。したがって、サーバ側は、通信接続を形成するために結合要求に基づき通信装置の装置識別子を第１アカウントに関連付けることができる。ここで、通信接続は、第１アプリケーションの第１アカウントに基づき通信装置との通信をサポートする。
【０１４０】
本実施形態は、合致した通信装置からターゲット通信装置を選択する動作であって、
処理ユニットが、比較結果に基づき、少なくとも１次元の特性情報に合致する通信装置を決定し、通信装置と端末装置との間の信号強度情報を取得し、信号強度情報に基づき通信装置からターゲット通信装置を選択するよう構成されること含む動作を更に提供する。
【０１４１】
信号強度情報は、通信装置により送信され受信された接続情報に従い、端末装置により決定されて良い。
【０１４２】
前述のソリューションにより、端末装置は画像識別子を取得し、画像識別子に基づき、サーバ側から通信装置に対応するタイプの少なくとも１次元の特性情報を取得し、次に、少なくとも１つの通信装置により送信された接続情報を受信した後に、通信装置の識別子情報に従いサーバから被照合特性情報を取得し、２つの特性情報グループを比較することにより、ターゲット通信装置を選択し、ターゲット通信装置への接続を確立できることが分かる。このように、対応する画像識別子は通信装置のタイプについて設定され、端末装置は通信装置のタイプに対応する画像識別子をスキャンするだけで通信装置への接続を確立でき、それにより、画像識別子が通信装置毎に設定される必要があるという事実により引き起こされる生産効率を増大できない及び過度に高い生産コストのような既存技術における問題を防止する。
【０１４３】
さらに、通信装置は通信装置のタイプについて設定された対応する画像識別子をスキャンすることにより追加されるので、画像識別子が失われた後に、該タイプの通信装置が追加できないという問題について心配する必要がない。さらに、ユーザが通信装置を追加するために画像識別子をスキャンするとき、通信距離範囲内にある近隣のハードウェア装置のみが追加でき、見知らぬ人による装置の遠隔追加の問題を完全に解決する。
【０１４４】
実施形態６
本発明の一実施形態は、サーバシステムを提供する。図１１に示すように、サーバシステムは、通信装置のタイプの少なくとも１次元の特性情報をソーシャルネットワークサーバに登録するよう構成される通信装置サーバ１１０１と、
端末装置により送信された画像識別子を受信し、端末装置により送信された通信装置の番号情報を受信し、画像識別子に基づき通信装置のタイプの少なくとも１次元の特性情報を取得し、通信装置のタイプの少なくとも１次元の特性情報を端末装置へ送信し、番号情報に基づき少なくとも１つの通信装置の被照合特性情報を取得し、被照合特性情報を端末装置へ送信するよう構成されるソーシャルネットワークサーバ１１０２と、を有する。
【０１４５】
通信装置サーバ１１０１は、通信装置のタイプの少なくとも１次元の特性情報に基づき、タイプの通信装置を登録するよう構成され、ソーシャルネットワークサーバ１１０２は、通信装置のタイプの少なくとも１次元の特性情報を、タイプに対応する画像識別子に関連付けるよう構成される。
【０１４６】
通信装置サーバは、通信装置のタイプの少なくとも１次元の特性情報に基づき、タイプの通信装置を登録するよう構成される通信装置サービスユニットを有する。
【０１４７】
ソーシャルネットワークサーバは、通信装置のタイプの少なくとも１次元の特性情報を、タイプに対応する画像識別子に関連付けるよう構成される。
【０１４８】
ここで、端末装置は、携帯電話機又はタブレットコンピュータのような装置であって良い。通信装置は、Bluetooth通信装置、又は無線ローカルエリアネットワーク上のWi-Fi通信装置であって良い。
【０１４９】
画像識別子は、通信装置上に設定される２次元コードであって良く、又は通信装置のタイプ番号であって良い。
【０１５０】
本実施形態では、画像識別子を取得するステップは、端末装置の画像取得ユニットを用いて実行されて良く、例えばカメラにより実行されて良い。
【０１５１】
通信装置の装置タイプの少なくとも１次元の特性情報は、通信装置のタイプ識別子情報、通信装置によりサポートされる通信モード、又は公式アカウント情報のうちの少なくとも１つを有する。
【０１５２】
通信装置のタイプ識別子情報は、通信装置のタイプの識別子情報である。ここで、留意すべきことに、通信装置は、更にサーバ側に登録する必要があり、通信装置のタイプ識別子情報、通信装置によりサポートされる通信モード、及び公式アカウント情報の全部をサーバ側に記録することを含む。
【０１５３】
留意すべきことに、Bluetooth通信装置は、端末装置に接続要求を送信するよう要求することなく、ブロードキャスト情報を含む接続情報を直接開始できる。
【０１５４】
少なくとも１次元の被照合特性情報の中の少なくとも１次元は、前述の少なくとも１次元と同じであって良い。詳細事項は、ここで再び記載されない。
【０１５５】
ソーシャルネットワークサーバは、通信装置により提出された番号取得要求を受信し、番号取得要求は、少なくとも、通信装置の装置情報及び通信装置の製品識別子情報を有し、番号取得要求に基づき、通信装置の番号情報を生成し、通信装置の番号情報を、通信装置のタイプの少なくとも１次元の特性情報に関連付けるよう構成される。
【０１５６】
前述のソリューションにより、端末装置は画像識別子を取得し、画像識別子に基づき、サーバ側から通信装置に対応するタイプの少なくとも１次元の特性情報を取得し、次に、少なくとも１つの通信装置により送信された接続情報を受信した後に、通信装置の識別子情報に従いサーバから被照合特性情報を取得し、２つの特性情報グループを比較することにより、ターゲット通信装置を選択し、ターゲット通信装置への接続を確立できることが分かる。このように、対応する画像識別子は通信装置のタイプについて設定され、端末装置は通信装置のタイプに対応する画像識別子をスキャンするだけで通信装置への接続を確立でき、それにより、画像識別子が通信装置毎に設定される必要があるという事実により引き起こされる生産効率を増大できない及び過度に高い生産コストのような既存技術における問題を防止する。
【０１５７】
さらに、通信装置は通信装置のタイプについて設定された対応する画像識別子をスキャンすることにより追加されるので、画像識別子が失われた後に、該タイプの通信装置が追加できないという問題について心配する必要がない。さらに、ユーザが通信装置を追加するために画像識別子をスキャンするとき、通信距離範囲内にある近隣のハードウェア装置のみが追加でき、見知らぬ人による装置の遠隔追加の問題を完全に解決する。
【０１５８】
前述のシナリオに基づき、本実施形態において提供されるシステムの中のサーバ又は端末装置は、図１２に示すように、プロセッサ８１と、記憶媒体８２と、少なくとも１つの外部通信インタフェース８３と、を含むハードウェアＳ１１の一例として機能し得る。プロセッサ８１、記憶媒体８２、及び外部通信インタフェース８３は、バス８４を用いて互いに接続される。
【０１５９】
本発明の本実施形態におけるシステムでは、端末装置の複数のユニットは、同じ装置のプロセッサ内に配置されて良く、又は異なる装置のプロセッサ内にそれぞれ配置されて良い。複数のユニットが同じ装置のプロセッサ内に配置されるとき、プロセッサは、
通信装置の画像識別子を取得し、該画像識別子をサーバ側へ送信し、通信装置の装置タイプの少なくとも１次元の特性情報を受信するステップであって、特性情報は、画像識別子に基づきサーバ側により返される、ステップと、
少なくとも１つの通信装置により送信された接続情報を検出し、接続情報をパースすることにより少なくとも１つの通信装置の装置識別子を取得し、装置識別子に基づきサーバ側から登録された少なくとも１つの通信装置のタイプの少なくとも１次元の被照合特性情報を取得するステップと、
通信装置の装置タイプの少なくとも１次元の特性情報を、登録された少なくとも１つの通信装置のタイプの少なくとも１次元の被照合特性情報と比較し、比較結果に基づき少なくとも１つの通信装置からターゲット通信装置を選択するステップと、
ターゲット通信装置に結合し該ターゲット通信装置への通信接続を確立するステップと、を実行する。
【０１６０】
代替で、前述のハードウェアがサーバ側に適用されるとき、本発明の本実施形態におけるシステムでは、サーバ側にある複数のユニットは、同じサーバのプロセッサ内に配置されて良く、又は異なるサーバのプロセッサ内にそれぞれ配置されて良い。通信装置接続方法であって、サーバに適用され、プロセッサは、
登録通信装置のタイプの少なくとも１次元の特性情報を取得するステップと、
端末装置により送信された画像識別子を受信し、画像識別子に基づき通信装置のタイプの少なくとも１次元の特性情報を取得し、通信装置のタイプの少なくとも１次元の特性情報を端末装置へ送信するステップと、
端末装置により送信された通信装置の番号情報を受信し、番号情報に基づき少なくとも１つの通信装置の被照合特性情報を取得し、被照合特性情報を端末装置へ送信するステップであって、端末装置が、通信装置のタイプの少なくとも１次元の特性情報及び少なくとも１つの通信装置の被照合特性情報に基づくスクリーニングにより、少なくとも１つの通信装置からターゲット通信装置を取得し、スクリーニングにより取得されたターゲット通信装置に結合し及び該ターゲット通信装置への接続を確立するようにする、ステップと、を実行する。
【０１６１】
当業者は、前述の実施形態における方法のステップの全部又は一部が関連するハードウェアに指示するプログラムにより実装されて良いことを理解する。プログラムは、コンピュータ可読記憶媒体に格納されて良い。記憶媒体は、読み出し専用メモリ（ＲＯＭ）、ランダムアクセスメモリ（ＲＡＭ）、磁気ディスク、光ディスク、等を含み得る。
【０１６２】
本発明の実施形態による通信装置接続方法、端末装置、及びサーバシステムは、詳細に上述された。本開示の原理及び実装は特定の例を用いて本願明細書に記載された。本発明の実施形態の説明は、単に本開示の方法及び中核となる概念の理解の助けとして使用される。さらに、当業者は、特定の実装の観点から本開示、及び本開示の概念に従う適用範囲に対する変形を行うことができる。したがって、本願明細書の内容は、本開示に対する限定として考えられるべきではない。
【図１】
0006549320.tif 000002
【図２】
0006549320.tif 000003
【図３】
0006549320.tif 000004
【図４】
0006549320.tif 000005
【図５】
0006549320.tif 000006
【図６】
0006549320.tif 000007
【図７】
0006549320.tif 000008
【図８】
0006549320.tif 000009
【図９】
0006549320.tif 000010
【図１０】
0006549320.tif 000011
【図１１】
0006549320.tif 000012
【図１２】
0006549320.tif 000013